(57)【要約】      （修正有）【課題】宅地造成の境界壁工事等の擁壁構築工事の際に使用する擁壁用Ｌ型コンクリートブロックとその基礎部材に関し、従来品は１段擁壁用に限定されていたので高い擁壁の構築には使用が困難であり、使用する場合は特別仕様の巨大な高さ寸法となった。【解決手段】本発明の積上用Ｌ型コンクリートブロック１は、垂直壁部２と１端が垂直壁部２に連結する傾斜底板部３と、垂直壁部２背面と傾斜底板部３上面に連結する連結支持部４により構成される擁壁構築用Ｌ型コンクリートブロックにおいて、垂直壁部２は上端側に、上面に積上げる積上用Ｌ型コンクリートブロック１の垂直壁部２の下端部や、専用基礎部材の下面側に突設する嵌合凸条を嵌入する凹溝７を有する支持棚部５を設けた事を特徴としている。【選択図】図１
2010242473.tif 000002
【特許請求の範囲】
【請求項１】
垂直壁部と１端が垂直壁部に連結する傾斜底板部と、垂直壁部背面と傾斜底板部上面に連結する連結支持部により構成される擁壁構築用Ｌ型コンクリートブロックにおいて、垂直壁部の上端側には、上段側に積上げる積上用Ｌ型コンクリートブロックの垂直壁部の下端部、又は専用基礎部材の下面側に突設した嵌合凸条を嵌入する凹溝を有する支持棚部を設けた事を特徴とする積上用Ｌ型コンクリートブロック。
【請求項２】
擁壁構築用Ｌ型コンクリートブロックに使用する基礎部材において、据え付けが安定する板状や角材状に形成した専用基礎部材の１端側には、上面側に、据え付ける上段の積上用Ｌ型コンクリートブロックの垂直壁部の下端部を嵌入する下端嵌入溝を形成すると共に、下面側に、下段側の積上用Ｌ型コンクリートブロックの垂直壁部背面の支持棚部の上面に設けた凹溝に嵌入する嵌合凸条を設け、他端側は上面側に上段の積上用Ｌ型コンクリートブロックの傾斜底板部の先端部分を嵌め込む先端止め溝を設けた事を特徴とする積上用Ｌ型コンクリートブロックの専用基礎部材。
【発明の詳細な説明】
【技術分野】
【０００１】  本発明は、宅地造成の境界壁や道路の路肩や岩壁の崩落防止等の擁壁工事の際に使用する擁壁構築用のＬ型コンクリートブロックに関し、主として高さの高い擁壁の複数段構築に使用するものである。
【背景技術】
【０００２】  従来の擁壁構築用のＬ型コンクリートブロックは、一般的には重量１トン、高さ２ｍに構成され、比較的低い１段擁壁用であるので複数段積上げて高い擁壁構築に使用する事は施工上困難であり、高い擁壁用とするためにはＬ型コンクリートブロックの高さ寸法を大きくして特別製作する事が講じられていた。【０００３】  Ｌ型コンクリートの寸法が大きくなると、コンクリートの成形製造及び保管、輸送における費用を増大するだけでなく、擁壁構築の作業現場の工事効率を低下させる事になる。従って、自ら寸法限度があるので高い壁は石垣となり、積み上げる事が困難な従来仕様のＬ型コンクリートブロックは複数段擁壁の構築には使用されていなかった。【０００４】  また、従来の一般寸法のＬ型コンクリートブロックを使用して高い擁壁を構築する為には、安全上、下段の上端部と上段の下端部の間の段差距離を十分にとる必要があり、擁壁の傾斜部分に相当する面積部分が大きくなる欠点があった。
【発明の開示】
【発明が解決しょうとする課題】
【０００５】  従来の擁壁構築用Ｌ型コンクリートブロックは、１段擁壁構築用に限定されたものであったので、高さの高い擁壁を構築する場合は、積み上げ連結する構造ではないので、特製の高さ寸法の大きいＬ型コンクリートブロックを使用した。その為、製作時のコンクリート成形、完成後の保管及び作業現場までの輸送、構築の施工等において、作業能率が低下し費用が増大してコスト高となる事が多かった。
【０００６】  また、従来の１段擁壁用のＬ型コンクリートブロックを使用して２段以上の複数段の高い擁壁を構築する場合は、安全上、下段と上段のＬ型コンクリートブロックの連結を強固にする為に、下段の上端背後をコンクリート、土砂、採石等で強固に固めた後、上段のＬ型コンクリートブロックを配置する際に下段のブロックの上端と上段のブロックの下端の間の距離を十分保有する必要が生じ、擁壁の傾斜面に相当する面積が大きくなり、有効平面積が狭くなる。又、下段のＬ型コンクリートブロックの据え付け施工と同様に上段のＬ型コンクリートブロックの位置、高さ、傾斜、方向を新たに決める事が必要となる。
【課題を解決するための手段】
【０００７】  本発明に係る積上用Ｌ型コンクリートブロックは１段擁壁にも使用できるが、主として２段以上の複数擁壁の構築に使用するものである。即ち、垂直壁部と１端が垂直壁部に連結する傾斜底板部と、垂直壁部背面と傾斜底板部上面に連結する連結支持部により構成される擁壁構築用Ｌ型コンクリートブロックにおいて、垂直壁部は上端側に、上面に積上げる積上用Ｌ型コンクリートブロックの垂直壁部の下端部を嵌入する凹溝を有し、かつ棚支持部により支持される支持棚部を設ける。
【０００８】  又、積上用Ｌ型コンクリートブロックに使用する専用基礎部材は、据え付けが安定する板状や角材状に形成し、その１端側の上面側に、据え付ける上段の積上用Ｌ型コンクリートブロックの垂直壁部の下端部を嵌入する下端嵌入溝を形成すると共に、下面側に、下段側の積上用Ｌ型コンクリートブロックの垂直壁部背面の支持棚部の上面に設けた凹溝に嵌入する嵌合凸条を設け、又、他端側は上面側に上段の積上用Ｌ型コンクリートブロックの傾斜底板部の先端部分を嵌め込む先端止め溝を設ける。
【発明の効果】
【０００９】  本発明に係る積上用Ｌ型コンクリートブロックは、高さ寸法をを増大せずに一般寸法であるので、成形、搬入、移動や複数段の積み上げ作業も容易である。特に積み上げは、下段の積上用Ｌ型コンクリートブロックの棚支持部の凹溝に、積み上げる上段の積上用Ｌ型コンクリートブロックの垂直壁部の下端部を嵌入するので、強固に連結する事ができ、位置、高さ、傾斜、方向等の決定が正確に能率よく行う事ができる。更に、下段の垂直壁部の上端部と上段の垂直壁部の下端部が重なり合って嵌合連結する事により、傾斜部分に相当する面積が減少し、最大限の有効利用面積が得られる。従って、堅固な複数段擁壁を能率よく構築する事を可能にし、高擁壁の構築費用を低減する経済効果を有する。
【発明を実施するための最良の形態】
【００１０】  以下、本発明に係る積上用コンクリートブロックの実施の形態を図１〜図３に基ずいて説明し、本発明に係る専用基礎部材の実施の形態を図４と図５に基ずいて説明し、その使用例を図６と図７に例示して説明する。
【実施例】
【００１１】  図１は本発明に係る複数段擁壁構築用の積上用Ｌ型コンクリートブロックの実施例の斜視図を示し、図２はその側面図を示す。積上用Ｌ型コンクリートブロック１は、垂直壁部２と１端が１０５度の角度差で垂直壁部１に連結する傾斜底板部３と、この垂直壁部２の背面と傾斜底板部３の上面に連結する連結支持部４により構成される。垂直壁部２の上部の背面側には、上端から適当距離離れた位置に支持棚部５を突設し、この支持棚部５の上面には積み上げる積上用Ｌ型コンクリートブロック１の垂直壁部２の下端部を嵌入する凹溝７を設け、支持棚部５は棚支持部６により強固に支持される。【００１２】  垂直壁部２に連結する支持棚部５の連結位置の上端からの寸法は、上段に積み上げるＬ型コンクリートブロック１の下端部と下段のＬ型コンクリートブロック１の上端部との重なり合う部分となるので、全体寸法や設定傾斜、積上げ段数等によりその寸法を設定する。傾斜底板部４には施工時に底面下にコンクリートを注入しやすくする為に従来と同様に複数のコンクリート充填用穴８を穿設する。【００１３】  図３は、積上げ構築擁壁の傾斜を施工時に変化する場合、積み上げる上段の積上用Ｌ型コンクリートブロック１の据え付け角度を変えやすくする為に、支持棚部５に設ける凹溝７の形状を半円形状に形成した実施例の側面図である。この凹溝８の形状は上段の垂直壁部２を嵌入した時、コンクリートを充填しながらも据え付け傾斜角度を自由に設定するのに有効である。【００１４】  図４及び図５は本発明に係る専用基礎部材の実施例を示す。専用基礎部材１１は積上用Ｌ型コンクリートブロックを据え付ける基礎となるので、板状や角材状など基礎面に安定し易い形状に構成し、１端側には、上面側に、積上用Ｌ型コンクリートブロックの垂直壁部２の下端部を嵌入する下端嵌入溝１２を形成すると共に、下面側に、垂直壁部２背面の支持棚部５上面の凹溝７に嵌入する嵌合凸条１４を突設し、他端側には傾斜底板部３の先端部を嵌入する先端止め溝１３を設ける。図４は板状に構成した専用基礎部材の実施例であり、施工時に底面側にコンクリートを注入しやすくする為に中央部にコンクリート充填穴１５を穿設する。図５は角材状に形成した専用基礎部材の実施例である。【００１５】  図６は、本発明に係る積上用Ｌ型コンクリートブロックと基礎部材９を使用して２段の擁壁を構築する使用例である。使用する基礎部材９は一般の部材であるが、図示の通り垂直壁部２の下端部が嵌入する嵌合凹溝を設けた基礎部材が有効である。施工は基礎部材９の上に積上用Ｌ型コンクリートブロック１を据付けた後、傾斜底板部３、連結支持部４を含む垂直壁部２の背後全体を略、支持棚部５の高さまでコンクリート、砕石、土砂等１０等により強固に固めて１段目を構築する。【００１６】  この１段目の積上用Ｌ型コンクリートブロック１の垂直壁部２の背面側の支持棚部５上面の凹溝７に、２段目の積上用Ｌ型コンクリートブロック１の下端部を嵌入して据え付ける。２段目の据え付け後は、積上用Ｌ型コンクリートブロック１の背面側の傾斜底板部３、連結支持部４を含む背後全体をコンクリート、砕石、土砂等１０により、垂直壁部２の上端部まで固めて表面を土地や道路などに造成する。従って、２段目の積上用Ｌ型コンクリートブロック１の据え付けは、位置、高さ、傾斜、方向等が自ら定まり施工が極めて能率化するだけでなく、２段目の上に１段目が正確に納まり連結が強固となる。又、垂直壁部２は１段目の上端と２段目の下端が重なり合うので、傾斜面に相当する面積が減少して有効利用面積が最大限となる。【００１７】  図７は、本発明に係る積上用Ｌ型コンクリートブロック１と専用基礎部材１１を使用して２段擁壁を構築する使用例である。コンクリート、砕石、土砂等１０で造成した基礎面の上に１段目の専用基礎部材１１を据え付け、その上に配置する１段目の積上用Ｌ型コンクリートブロック１は、垂直壁部２の下端部を専用基礎部材１１の上面側の下端嵌入溝１２に嵌入すると共に、傾斜底板部３の先端部を先端止め溝１３に嵌入させる。その後の施工は図６と同様に積上用Ｌ型コンクリートブロック１の背後全体を略、支持棚部５の高さまで土砂  等で強固に固め、コンクリート、砕石、土砂等１０で固めた表面に２段目の専用基礎部材１１を据え付ける。【００１８】  ２段目の専用基礎部材１１の据え付けは、下面に形成した嵌合凸条１４を、１段目のＬ型コンクリートブロック１の背面側の支持棚部５の凹溝７に嵌入して専用基礎部材１１の位置を決定する。この専用基礎部材１１の上に２段目の積上用Ｌ型コンクリートブロック１を積み上げるが、その際は１段目と同様に、２段目の積上用Ｌ型コンクリートブロック１の垂直壁部２の下端部を２段目の専用基礎部材１１の下端嵌入溝１２に、傾斜底板部３の先端部を先端止め溝１３に嵌入する。従って、２段目の積上用コンクリートブロック１の位置、高さ、傾斜、方向等の決定は容易となり、全体の上下連結は、１段目の積上用Ｌ型コンクリートブロック１の支持棚部５と２段目の専用基礎部材１１の嵌合凸条１４との嵌合、２段目の専用基礎部材１１の下端嵌入溝１２と２段目の積上用Ｌ型コンクリートブロック１の垂直端部の嵌合により強固に連結して安全な２段擁壁を構築する事ができる。
【図面の簡単な説明】
【００１９】
【図１】  本発明に係る積上用Ｌ型コンクリートブロックの実施例の斜視図である。
【図２】  本発明に係る積上用Ｌ型コンクリートブロックの実施例の側面図である。
【図３】  本発明に係る積上用Ｌ型コンクりートプロックの支持棚部の上面の凹溝を半円形状に形成した実施例の側面図である。
【図４】  本発明に係る専用基礎部材を板状に形成した実施例の斜視図である。
【図５】  本発明に係る専用基礎部材を角材状に形成した実施例の斜視図である。
【図６】  本発明に係る積上用Ｌ型コンクリートブロックを２段に積上げた使用例の縦断面図である。
【図７】  本発明に係る積上用Ｌ型コンクリートブロックと専用基礎部材を使用して２段に積上げた使用例の縦断面図である。
【符号の説明】
【００２０】１    積上用Ｌ型コンクリートブロック
２    垂直壁部
３    傾斜底板部
４    連結支持部
５    支持棚部
６    棚支持部
７    凹溝
８    コンクリート注入穴
９    基礎部材
１０  コンクリート、砕石、土砂等
１１  専用基礎部材
１２  下端嵌入溝
１３  先端止め溝
１４  嵌合凸条
１５  コンクリート充填穴
【図１】
2010242473.tif 000003
【図２】
2010242473.tif 000004
【図３】
2010242473.tif 000005
【図４】
2010242473.tif 000006
【図５】
2010242473.tif 000007
【図６】
2010242473.tif 000008
【図７】
2010242473.tif 000009